(57)【要約】      （修正有）【課題】物干し竿等への吊り掛け及び壁等への吊り掛けの両方の状態において水平な吊り掛けが可能で、しかも構成が簡単である物干し器を提供する。【解決手段】物干し本体１は、前記各線条体３の一端部が連結される複数の連結部１９を有しており、前記各線条体３を前記複数の連結部１９から選択される第１の連結部群に連結すると、前記吊掛具５が前記物干し本体１の中央に対応する位置に配置された状態で、前記物干し本体１が水平に支持される一方、前記各線条体３を前記複数の連結部１９から選択される第２の連結部群に連結すると、前記吊掛具５が前記物干し本体１の中央からずれた位置に配置された状態で、前記物干し本体１が水平に支持される。【選択図】図６
2007236846.tif 000002
【特許請求の範囲】
【請求項１】
洗濯物を吊り下げる物干し本体と、
前記物干し本体を吊り掛けるための吊掛具と、
一端部が前記物干し本体に着脱自在に連結されるとともに、他端部が前記吊掛具に連結される複数の線条体と、
前記物干し本体の下面に、吊下部材を介して設けられる複数の洗濯バサミと、を備え、
前記物干し本体は、前記各線条体の一端部が連結される複数の連結部を有しており、
前記各線条体を前記複数の連結部から選択される第１の連結部群に連結すると、前記吊掛具が前記物干し本体の中央に対応する位置に配置された状態で、前記物干し本体が水平に支持される一方、前記各線条体を前記複数の連結部から選択される第２の連結部群に連結すると、前記吊掛具が前記物干し本体の中央からずれた位置に配置された状態で、前記物干し本体が水平に支持される、物干し器。
【請求項２】
前記各線条体を前記複数の連結部から選択される第２の連結部群に連結したとき、前記吊掛具が前記物干し本体の周縁部に対応する位置に配置された状態で、前記物干し本体が水平に支持される、請求項１に記載の物干し器。
【請求項３】
前記物干し本体は平面視矩形状に形成され、前記第１の連結部群の各連結部は、前記物干し本体の角部近傍にそれぞれ設けられている、請求項１又は２に記載の物干し器。
【請求項４】
前記物干し本体は、折り畳み可能に連結された一対の分割枠体で構成されるとともに、複数の空隙を有しており、
前記各分割枠体における前記空隙の近傍には前記吊下部材が揺動自在に取り付けられ、
前記吊下部材が揺動することによって前記洗濯バサミが前記空隙内に収容される、請求項１から３のいずれかに記載の物干し器。
【発明の詳細な説明】
【技術分野】
【０００１】
本発明は、洗濯物を干すための物干し器に関する。
【背景技術】
【０００２】
従来より、洗濯物を干すための物干し器として、種々のものが提案されている。一般的な物干し器は、洗濯物を挟む複数の洗濯バサミが吊り下げられた枠体からなる物干し本体を有しており、この物干し本体が複数のチェーンによって上方から支持されている。また、各チェーンの端部はフックに固定されており、このフックを物干し竿などに吊り掛けることで、洗濯物を干すようになっている。このような物干し器は、屋外で物干し竿等に吊り掛けることが想定されているため、通常、複数のチェーンは同じ長さに形成され、これによって、フックが物干し本体中央の上方に位置するようになっている。そのため、物干し本体は、水平な状態で吊り掛けられることになる。
【０００３】
しかしながら、雨天の場合、物干し器は、屋内の壁などに掛けて使用されることもある。この場合、フックは壁に引っ掛けられるため、物干し本体の端部が壁に接触してしまい、フックは中央上方からずれた位置に配置される。このような状態になると、物干し本体は水平に支持されず、傾いた状態で支持されることになる。そのため、洗濯物同士が接触し、乾きにくくなるという問題が発生する。
【０００４】
これを解決するため、特許文献１には、次のような物干し器が開示されている。この物干し器は、物干し本体を吊るすチェーンの代わりに、長さを変更可能な連結体を使用している。より詳細には、４本の連結体の一端部を矩形状の物干し本体の角にそれぞれ接続するとともに、他端部をフックに接続している。そして、物干し本体の一端側に接続された一対の連結体の長さを変更できるように構成している。この連結体は、一対の帯状の連結杵からなり、フックが物干し本体の中央上方に配置される通常の状態では、これら連結杵を重ねた状態にしておく。一方、連結体を長くする場合には、連結杵の端部同士を接続することで約２倍の長さにして使用する。このように、物干し本体の一端側の２つの連結体を長くすることで、フックは物干し本体の中央から他端側にずれた位置に配置されるようになる。こうすることで、フックを壁に掛けて物干し本体の他端側が壁に接触した状態になっても、物干し本体は水平な状態で吊り掛けられるため、洗濯物同士が接触するのを防止することができる。
【特許文献１】特開２００３−２４６９５号公報
【発明の開示】
【発明が解決しようとする課題】
【０００５】
しかしながら、特許文献１の物干し器では、上記のように物干し本体を吊るすチェーンの代わりに、一対の帯状の連結杵を設け、一方の連結杆に設けられたピンを他方の連結杆に形成された孔に嵌合することで、両者を連結している。そして、これらの連結杵同士の連結位置を変えることにより、連結杵の長さを変更するように構成されている。そのため、物干し器の構成が複雑になり、コストが高くなるという問題があった。
【０００６】
本発明は、上記問題を解決するためになされたものであり、物干し竿等への吊り掛け及び壁等への吊り掛けの両方の状態において水平な吊り掛けが可能で、しかも構成が簡単である物干し器を提供することを目的とする。
【課題を解決するための手段】
【０００７】
本発明に係る物干し器は、上記問題を解決するためになされたものであり、洗濯物を吊り下げる物干し本体と、前記物干し本体を吊り掛けるための吊掛具と、一端部が前記物干し本体に着脱自在に連結されるとともに、他端部が前記吊掛具に連結される複数の線条体と、前記物干し本体の下面に、吊下部材を介して設けられる複数の洗濯バサミとを備え、前記物干し本体は、前記各線条体の一端部が連結される複数の連結部を有しており、前記各線条体を前記複数の連結部から選択される第１の連結部群に連結すると、前記吊掛具が前記物干し本体の中央に対応する位置に配置された状態で、前記物干し本体が水平に支持される一方、前記各線条体を前記複数の連結部から選択される第２の連結部群に連結すると、前記吊掛具が前記物干し本体の中央からずれた位置に配置された状態で、前記物干し本体が水平に支持されるように構成されている。
【０００８】
この構成によれば、物干し本体に複数の連結部を設けているため、このうちから選択される連結部に線条体を選択的に連結することで、吊掛具を物干し本体の中央に対応する位置又は中央からずれた位置に配置することができる。そのため、物干し竿等への吊り掛けのみならず、壁や障害があるような場合に物干し本体の中央からずれた位置で吊掛具を吊り掛けした場合でも、物干し本体を水平な状態で吊り掛けることができる。しかも、各線条体の一端部が連結部に対して着脱自在に構成されているため、連結位置の切り替えが非常に容易である。また、従来例のように連結杵（線条体に相当）の長さを変更するものではなく、線条体を他の連結部に付け替えるように構成されているので、物干し器の構成が簡単である。
【０００９】
上記構成において、第２の連結部群の連結部は適宜選択することができるが、例えば、各線条体を複数の連結部から選択される第２の連結部群に連結したとき、吊掛具が物干し本体の周縁部に対応する位置に配置された状態で、前記物干し本体が水平に支持されるように連結部を選択すると、物干し器を壁に掛けたときであっても、物干し本体を水平に吊り下げることができる。これ以外でも、例えば壁が傾斜したり、壁に段がある場合には、第２の連結部群の連結部を適宜選択することで、物干し器を水平に支持することができる。
【００１０】
また、物干し本体を平面視矩形状に形成し、第１の連結部群の各連結部を物干し本体の角部近傍にそれぞれ設けることが好ましい。
【００１１】
さらに、上記物干し本体は、折り畳み可能に連結された一対の分割枠体で構成されるとともに、複数の空隙を有しており、前記各分割枠体における前記空隙の近傍には前記吊下部材が揺動自在に取り付けられ、前記吊下部材が揺動することによって前記洗濯バサミが前記空隙内に収容されるように構成することができる。
【００１２】
この構成によれば、物干し本体が、折り畳み可能に連結された一対の分割枠体から構成されているので、物干し本体を二つに折り畳むことができ、収納時のスペースを小さくすることができる。さらに、各分割枠体に取り付けられた吊下部材が揺動することによって、洗濯バサミが物干し本体の複数の空隙内に収容されるため、物干し本体を折り畳む際に、各分割枠体に取り付けられた洗濯バサミ同士が接触することがなく、物干し本体を折り畳むことができる。また、物干し本体の外側に洗濯バサミがはみ出さない。したがって、洗濯バサミが物干し本体の周縁部に挟まれるといったこともなく、物干し本体を容易に折り畳むことができる。
【発明の効果】
【００１３】
本発明に係る物干し器によれば、物干し竿等への吊り掛け及び壁等への吊り掛けの両方の状態において水平な吊り掛けが可能で、しかも構成が簡単である物干し器を提供することができる。
【発明を実施するための最良の形態】
【００１４】
以下、本発明に係る物干し器の一実施形態について図面を参照しつつ説明する。図１は本実施形態に係る物干し器の側面図、図２は図１の物干し器の平面図である。なお、本実施形態では、図１，図５の左側及び図２，図６の上方を「前」、図１，図５の右側及び図２，図６の下方を「後」と称することとする。
【００１５】
図１及び図２に示すように、本実施形態に係る物干し器は、洗濯物を吊り下げる物干し本体１と、これを吊り下げる４本の線条体３とを備えている。各線条体３は、一端部が物干し本体１に、他端部が物干し器を吊り掛けるためのフック（吊掛具）５の下端部に連結されている。物干し本体１は、長方形状のフレーム１１と、このフレーム１１の内部に掛け渡された複数の補強用縦枠部１３及び補強用横枠部１５とを備えている。図２に示すように、本実施形態では、フレーム１１の長辺と平行な４つの補強用縦枠部１３と、フレーム１１の短辺と平行な２つの補強用横枠部１５とが組み合わされて配置されている。そして、フレーム１１、補強用縦枠部１３，及び補強用横枠部１５には、洗濯物を挟む複数の洗濯バサミ１７が吊り下げられている。
【００１６】
図２に示すように、物干し本体１のフレーム１１は、長辺方向の中央位置で二分割された一対の分割フレーム（分割枠体）１１ａ，１１ｂから構成されている。各分割フレーム１１ａ，１１ｂは、平面視コ字状に形成されており、これらの中央側の端部同士を揺動可能に連結している。これによって、両分割フレーム１１ａ，１１ｂが同一平面上に展開した吊下げ姿勢（図１参照）と、両分割フレーム１１ａ，１１ｂの下面同士が当接又は近接する状態に折り曲げられた折り畳み姿勢（図９参照）とに切り替え自在となっている。
【００１７】
各線条体３は、図１及び図２に示すように、同じ長さを有しており、その両端に連結リング３ａが形成されている。一方、フレーム１１及び各補強用縦枠部１３の複数の位置には、線条体３の一端部が連結される連結部１９が設けられている。本実施形態に係る連結部１９は、フレーム１１の４つの角部に設けられた第１連結部１９ａと、各補強用縦枠部１３に設けられた第２連結部１９ｂとで構成されている。第２連結部１９ｂは、フレーム１１の近傍に配置され、長辺方向において第１連結部１９ａよりやや内側に配置されている。また、補強用縦枠部１３に設けられているので、短辺方向には第１連結部１９ａよりも中央寄りに配置されている。各連結部１９は、一部が切り欠かれたＵ字型に形成され、物干し本体１の短辺方向内方へ突出するように設けられている。そして、連結部１９の切欠きは、フレーム１１の長辺方向に外方へ向かって開口するように形成されており、この切欠きを介して線条体３の連結リング３ａが連結部１９に着脱自在に引っ掛けられる。なお、図２においては、すべての線条体３が、第１連結部１９ａに連結されている。
【００１８】
また、フレーム１１は、図３に示すような下向き略コの字状の横断面形状を有しており、物干し本体１の中央側を向く内壁１１ｃ、外方を向く外壁１１ｄ、及び内壁１１ｃの上端縁と外壁１１ｄの上端縁とを連結する上壁１１ｅを備えている。上壁１１ｅには、図２及び図３に示すように、そこから下方へ突出する断面コ字状の複数の取付部２３が形成されている。各取付部２３の底面から内壁１１ｃ側を向く面に亘っては切欠部２３ｃが形成されている。そして、この取付部２３の下端部には、下端部に洗濯バサミ１７が取り付けられた吊下部材２５が、その上端に設けられた支軸２５ａを介して揺動自在に取り付けられている。吊下部材２５の揺動範囲は、上記切欠部２３ｃによって、鉛直下方向から内方へ略９０度に規制されている。このため、物干し本体１を折り畳む際に、洗濯バサミ１７が物干し本体１の外側に揺動してはみ出すことがない。なお、内壁１１ｃの高さは外壁１１ｄよりも短くなっており、下方に空間が形成されるため、吊下部材２５の揺動の障害にはならない。
【００１９】
補助用枠部１３，１５は、フレーム１１と同様な構成を有しており、吊下げ部材２５が揺動可能に連結されているが、次の点が異なっている。すなわち、図４に示すように、切欠部２３ｃは取付部２３の底面から内壁１１ｃ側及び外壁１１ｄ側を向く面に亘って形成されている。そのため、補助用枠部１３，１５に連結された吊下部材２５は、略１８０度の範囲で揺動するようになっている。
【００２０】
ところで、本実施形態に係る物干し器は、屋外での物干し竿等に引っ掛けて使用する場合のみならず、例えば屋内で壁に掛けて使用することも可能となっている。まず、屋外で使用する場合、図１に示すように、この物干し器は、フック５が物干し本体１のほぼ中央の上方に位置するように吊り掛けられる。この場合、本実施形態の各線条体３は同じ長さを有しているので、フレーム１１の中央から略同じ距離となる位置に線条体３を接続する必要がある。そのため、図２に示すように、線条体３の一端部は、長方形状のフレーム１１の角部付近に設けられた連結部１９に接続される。なお、上記のようにフック５（吊掛具）が物干し本体１の中央に対応する位置に配置されるように、各線条体３の一端部が連結される連結部１９が、本発明における「第１の連結部群」に相当する。
【００２１】
一方、物干し器を壁に掛ける場合には、図５及び図６のような状態にする。図５は、物干し器の側面図、図６は図５の物干し器の平面図である。図５に示すように、物干し本体１の後端が壁Ｗに当接する場合、物干し本体１が水平状態で吊り掛けられるためには、線条体３が緩まずに張っている状態で、フック５が物干し本体１の後端の上方に配置される必要がある。そのためには、各線条体３の一端部を物干し本体１の後端寄りの位置で連結しなければならない。本実施形態では、連結部１９がフレーム１１の内側に配置された補強用縦枠部１３にも設けられている。そのため、前側２本の各線条体３の一端部を、第２連結部１９ｂにそれぞれ連結し、後側２本の各線条体３の一端部を、第１連結部１９ａにそれぞれ連結することで、各線条体３の一端部が物干し本体１の後端寄りの位置で連結される。その結果、図５及び図６に示すように、フック５を吊り掛けたとき、後側の２本の線条体３は、フレーム１１の後側の長辺に沿って延び、フック５が物干し本体１の後端部上方に配置されるようになる。なお、上記のようにフック５（吊掛具）が物干し本体１の中央からずれた位置に配置されるように、各線条体３の一端部が連結される連結部１９が、本発明における「第２の連結部群」に相当する。
【００２２】
次に、上記のように構成された物干し器の使用方法について説明する。まず、屋外で物干し竿などにこの物干し器を吊り掛ける場合、つまり物干し竿の周囲に障害がなく、図１及び図２に示すように、フック５を物干し本体１の中央上方に配置できる場合には、第１連結部１９ａに各線条体３の掛止リング３ａを連結する。この状態で、フック５を物干し竿等に吊り掛ければ、フック５が物干し本体１の中央上方に配置されるとともに、物干し本体１が水平な状態で吊り下げられる。
【００２３】
一方、図５及び図６に示すように、物干し器を屋内で壁に掛ける場合には、後側２本の線条体３を、第１連結部１９ａに連結し、前側２本の線条体３を第２連結部１９ｂに連結する。これにより、各線条体３の一端部が物干し本体１の後端寄りの位置で連結され、フック５を壁に掛けて線条体３が緊張したときには、フック５が物干し本体１の後端上方に位置する。その結果、物干し本体１は水平に支持される。
【００２４】
そして、物干し器を使用後に保管する場合、或いは物干し器を出荷のために梱包する場合等には、次のように使用される。まず、図７に示すように、物干し本体１をひっくり返し下面を上方に向ける。ついで、図７及び図８に示すように、洗濯バサミ１７を接続している吊下部材２５を物干し本体１の内方へ揺動させる。これによって、洗濯バサミ１７は吊下部材２５とともに、フレーム１１、補強用縦枠部１３，及び補強用横枠部１５の間の空隙に収まる。そして、図９に示すように、フレーム１１を折り畳むと、分割フレーム１１ａ，１１ｂの下端縁、つまり外壁１１ｄの下端縁１１ｆ同士が当接し、物干し本体１が完全に折り畳まれる。
【００２５】
以上のように、本実施形態によれば、フレーム１１及び補強用縦枠部１３の任意の位置に複数の連結部１９を設けているため、このうちの４つの連結部１９に線条体３を選択的に連結することで、フック５を物干し本体１の中央上方又は後端上方に配置することができる。そのため、物干し竿等への吊り掛けのみならず、壁等へ吊り掛けした場合でも、物干し本体１を水平な状態で吊り掛けることができる。しかも、各線条体３の一端部が連結部１９に対して着脱自在に構成されているため、連結位置の切り替えが非常に容易である。また、従来例のように連結杵（線条体３に相当）の長さを変更するものではなく、線条体３を他の連結部１９に付け替えるように構成されているので、物干し器の構成が簡単である。
【００２６】
また、フレーム１１が、折り畳み可能に連結された一対の分割フレーム１１ａ，１１ｂから構成されているので、物干し本体１を二つに折り畳むことができ、収納時のスペースを小さくすることができる。さらに、各分割フレーム１１ａ，１１ｂに取り付けられた吊下部材２５が揺動することによって、洗濯バサミ１７が物干し本体１の空隙内に収容されるため、物干し本体１を折り畳む際に、各分割フレーム１１ａ，１１ｂに取り付けられた洗濯バサミ１７同士が接触することがなく、物干し本体１を折り畳むことができる。また、物干し本体１の外側に洗濯バサミ１７がはみ出さない。したがって、洗濯バサミ１７が物干し本体１の周縁部に挟まれるといったこともなく、物干し本体１を容易に折り畳むことができる。
【００２７】
上記実施形態では、物干し本体１が折り畳まれたときに、各分割フレーム１１ａ，１１ｂの外壁１１ｄの下端縁１１ｆ同士が当接するように構成されている。そのため、物干し器を側面から見ると、外観が良く見える。また、外壁１１ｄの高さを適宜変更することにより、折り畳まれた際の各分割フレーム１１ａ，１１ｂ同士の間隔を調整することができ、洗濯バサミ１７を収容する空隙の大きさを調整することができる。
【００２８】
以上、本発明の一実施形態について説明したが、本発明は上記実施形態に限定されるものではなく、その趣旨を逸脱しない限りにおいて種々の変更が可能である。
【００２９】
上記実施形態では、フック５を中央に配置する場合には、４つの線条体３を第１連結部１９ａに連結していたが、すべての線条体３を第２連結部１９ｂに連結することもできる。すなわち、本発明に係る第１の連結部群とは、物干し本体の中央部から等距離にある連結部を選択することで構成されるので、すべての連結部１９を第２連結部１９ｂにしたときには、それが第１の連結部群になる。一方、本発明に係る第２の連結部群とは、少なくとも一つが物干し本体の中央から他の連結部とは異なる距離にある連結部であって、物干し本体を水平に支持することができる連結部を選択することで構成される。したがって、以下のような観点から連結部を形成する位置が考えられる。
【００３０】
上記実施形態では、フック５が物干し本体１の後端上方に位置するようになっているが、例えば、壁にカーテンレールなどが配置され、これに物干し器を吊り掛ける場合には、フック５の位置は必ずしも物干し本体１の後端上方になくてもよく、物干し本体１の中央から後端の間の適当な位置に配置されていればよい。したがって、連結部１９が設けられる位置は、物干し器１を吊り掛ける固定物によって線条体３の連結位置を変更できるように、複数の連結部１９を適当な場所に設ければよく、これに伴なって補強用縦枠部１３及び補強用横枠部１５の配置も適宜変更してもよい。
【００３１】
上記実施形態では、図６に示すように、物干し本体１の後端を壁Ｗに当接して使用する場合について説明したが、これに限定されるものではい。例えば、図６において線条体３が連結されていない連結部１９に各線条体３を付け替えるだけで、フック５を物干し本体１の前端上方へ配置させることができ、図１０に示すように、物干し本体１の前端を壁Ｘに当接して使用することもできる。そのため、洗濯物の状況により最適の洗濯物干し形態を実現できる。
【００３２】
上記実施形態の物干し器は、線条体３を４本備えているが、上記のようにフック５の位置を適宜変更して、物干し本体１を水平状態で吊り下げられるものであれば特に限定されない。つまり、線条体３を３本以上備えていればよく、その本数に合わせて、連結部１９の位置及び数も適宜増減させればよい。また、線条体３と物干し本体１との連結は、着脱自在に連結するような構成であれば、特には限定されない。
【００３３】
吊下部材２５は、揺動自在に構成され、物干し本体１の内方へ揺動した場合に、洗濯バサミ１７がフレーム１１、補強用縦枠部１３，及び補強用横枠部１５の間の空隙に収容されるようになっているが、各洗濯バサミ１７が部分的に収容されるように構成されていても特に問題はない。この場合においても、物干し本体１を折り畳んだときに、分割フレーム１１ａと分割フレーム１１ｂとの外壁１１ｄの下端縁１１ｆ同士が近接する状態となり、物干し本体１をコンパクトに折り畳むことができる。
【００３４】
また、フレーム１１は、長方形状に形成され、２つの分割フレーム１１ａ，１１ｂに分割されているが、長方形以外の形状であっても、分割されていないフレームであってもよい。
【図面の簡単な説明】
【００３５】
【図１】本発明に係る物干し器の一実施形態を示す側面図である。
【図２】図１の物干し器の平面図である。
【図３】フレームの横断面図である。
【図４】補強用縦枠部及び補強用横枠部の横断面図である。
【図５】図１の物干し器を壁に掛けたときの側面図である。
【図６】図６の物干し器の平面図である。
【図７】図１の物干し器の使用方法を説明する図である。
【図８】図１の物干し器の使用方法を説明する図である。
【図９】図１の物干し器を折り畳んだ状態の図である。
【図１０】図１の物干し器を壁に掛けたときの平面図である。
【符号の説明】
【００３６】
１  物干し本体
３  線条体
５  フック（吊掛具）
１１  フレーム
１１ａ，１１ｂ  分割フレーム（分割枠体）
１３  補強用縦枠部
１５  補強用横枠部
１７  洗濯バサミ
１９  連結部
２３  取付部
２５  吊下部材
【図１】
2007236846.tif 000003
【図２】
2007236846.tif 000004
【図３】
2007236846.tif 000005
【図４】
2007236846.tif 000006
【図５】
2007236846.tif 000007
【図６】
2007236846.tif 000008
【図７】
2007236846.tif 000009
【図８】
2007236846.tif 000010
【図９】
2007236846.tif 000011
【図１０】
2007236846.tif 000012